(57)【要約】【課題】円盤状または板状の部品を縦置きにするという特殊なニーズに対応でき、部品を安定して保持できる部品収納用キャリアテープを提供することを目的とする。【解決手段】部品収納用のキャリアテープ５は、第１凹部１ｄを設けた第１キャリアテープ材１と、第１凹部１ｄよりも浅い第２凹部２ｄを設けるとともに、第２凹部２ｄの底に部品を挿入する孔２ｂを設けた第２キャリアテープ材２とで構成されている。第１キャリアテープ材１と第２キャリアテープ材２は、第１凹部１ｄと第２凹部２ｄとが一致するように重ねられている。孔２ｂは、孔２ｂの周囲の部分がコイン形電池４を縦置き状態に支持可能な大きさに設定されている。【選択図】図１
2010036927.tif 000002
【特許請求の範囲】
【請求項１】
円盤状または板状の部品を立てて収納する部品収納用キャリアテープであって、
第１凹部を設けた第１キャリアテープ材と、
前記第１凹部よりも浅い第２凹部を設けるとともに、前記第２凹部の底に部品を挿入する孔を設けた第２キャリアテープ材と、を備え、
前記孔は、前記第２凹部の底の、前記孔の周囲の部分が前記部品を縦置き状態に支持可能な大きさに設定され、
前記第１凹部と前記第２凹部とが一致するように、前記第１キャリアテープ材と前記第２キャリアテープ材とを重ねて形成した部品収納用キャリアテープ。
【請求項２】
前記第１凹部は前記部品を収容する第３凹部を有する底部と、前記底部から立ち上がった側壁と、を有する請求項１記載の部品収納用キャリアテープ。
【請求項３】
前記側壁は、前記底部から傾斜して立ち上がっている請求項２記載の部品収納用キャリアテープ。
【請求項４】
前記第１凹部は底部と、前記底部から傾斜して立ち上がった側壁と、を有する請求項１記載の部品収納用キャリアテープ。
【請求項５】
前記第１キャリアテープ材に送り用の第１パイロット孔を設け、前記第２キャリアテープ材に送り用の第２パイロット孔を設け、前記第１パイロット孔の位置と前記第２パイロット孔の位置とを一致させた請求項１から４のいずれか一項に記載の部品収納用キャリアテープ。
【請求項６】
前記第１パイロット孔の径と前記第２パイロット孔の径とが同じである請求項５記載の部品収納用キャリアテープ。
【請求項７】
前記第１キャリアテープ材と前記第２キャリアテープ材とが熱溶着されていることを特徴とする請求項１から６のいずれか一項に記載の部品収納用キャリアテープ。
【請求項８】
前記第１キャリアテープ材と前記第２キャリアテープ材との間に熱溶着層を有する請求項７記載の部品収納用キャリアテープ。
【請求項９】
前記第２キャリアテープ材の前記第２凹部を覆うようにトップテープ材が配置され、前記第２キャリアテープ材の前記第２凹部の周辺部で前記トップテープ材と前記第２キャリアテープ材とが熱溶着されていることを特徴とする請求項１から８のいずれか一項に記載の部品収納用キャリアテープ。
【発明の詳細な説明】
【技術分野】
【０００１】
本発明は、コイン形電池等のように円盤状の部品、あるいは板状の部品を立てて挿入し保持する部品収納用キャリアテープに関する。
【背景技術】
【０００２】
コイン形電池等の円盤状の部品を電子機器へ自動実装で組み込む際には、キャリアテープが用いられることが多い。通常、円盤状の電子部品は、キャリアテープ内で、厚み方向が鉛直方向になるように寝かせて収納される（以下、「横置き収納」と称す）。また電子機器へ実装する際にも、そのままの姿勢で装填される。従来のキャリアテープには、円盤状の形に合わせるために円錐台状のエンボスポケットが形成されている。また、円盤状の電子部品を横置き収納するため、エンボスポケットの深さは浅いのが一般的である（例えば、特許文献１、２参照）。
【特許文献１】特開２００５−２９１８３号公報
【特許文献２】特開２００５−２２６８７号公報
【発明の開示】
【発明が解決しようとする課題】
【０００３】
一方、電子機器の多様化に伴い、電子機器へ円盤状の電子部品を実装する際、電子部品を立てた状態で装填したいというニーズが発生している。この場合、キャリアテープでも電子部品を立てた状態で収納する（以下、「縦置き収納」と称す）ニーズが生じている。
【０００４】
しかしながら特許文献１あるいは２に示されるようなキャリアテープの場合は、横置き収納を想定したエンボスポケットの形状であるため、当然縦置き収納することはできない。また、縦置き収納の形状に合わせてエンボスポケットを加工すると、局部的な深絞り状態となってテープが破れ易いという課題があった。
【０００５】
本発明は上記課題を解決するもので、局部的な深絞りを必要とせず、部品を立てて保持することが可能な新規な部品収納用キャリアテープを提供することを目的とする。
【課題を解決するための手段】
【０００６】
上記の目的を達成するために本発明は、第１凹部を設けた第１キャリアテープ材と、第１凹部よりも浅い第２凹部を設けるとともに、第２凹部の底に部品を挿入する孔を設けた第２キャリアテープ材と、で構成されたキャリアテープである。そして第１凹部と第２凹部とが一致するように、第１キャリアテープ材と第２キャリアテープ材とが重ねられている。第２凹部の孔は、第２凹部の底の、孔の周囲の部分が部品を縦置き状態に支持可能な大きさに設定されている。
【０００７】
上記の構成によれば、部品を縦方向に第２キャリアテープ材の孔に挿入することによって、部品を立てた状態で容易に保持することができる。したがって局部的な深絞り状態のエンボス加工の必要性がなくなり、テープが破れることもなくなる。
【発明の効果】
【０００８】
本発明によれば、部品を縦置き状態にしたいという特殊なニーズにも対応できる部品収納用キャリアテープを提供することができる。
【発明を実施するための最良の形態】
【０００９】
本発明による第１の発明は、第１凹部を設けた第１キャリアテープ材と、第１凹部よりも浅い第２凹部を設けるとともに、第２凹部の底に部品を挿入する孔を設けた第２キャリアテープ材と、で構成されたキャリアテープである。そして第１凹部と第２凹部とが一致するように、第１キャリアテープ材と第２キャリアテープ材とが重ねられている。第２凹部の孔の大きさは、第２凹部の底の、孔の周囲の部分が部品を縦置き状態に支持可能なように設定されている。この構成により、部品を縦方向に第２キャリアテープ材の孔に挿入することによって、部品を立てた状態で容易に保持することができる。
【００１０】
本発明による第２の発明は、第１の発明において、第１凹部が部品を収容する第３凹部を有する底部と、この底部から立ち上がった側壁と、を有することを特徴とする部品収納用キャリアテープである。この構成により、部品は第１凹部に形成された第３凹部に収納されるため、輸送中に衝撃や振動等が生じた場合にも、傾くことなく安定して保持することができる。
【００１１】
本発明による第３の発明は、第２の発明において、第１凹部の側壁が底部から傾斜して立ち上がっていることを特徴とする部品収納用キャリアテープである。このように傾斜を持たせることによって、第１キャリアテープ材と第２キャリアテープ材とを重ねることが容易となる。
【００１２】
本発明による第４の発明は、第２の発明において、第１凹部が底部と、この底部から傾斜して立ち上がった側壁とを有する部品収納用キャリアテープである。このように傾斜を持たせることによって、第１キャリアテープ材と第２キャリアテープ材とを重ねることが容易となる。
【００１３】
本発明による第５の発明は、第１から第４の発明において、第１キャリアテープ材に送り用の第１パイロット孔を設け、第２キャリアテープ材に送り用の第２パイロット孔を設けた部品収納用キャリアテープである。そして、第１パイロット孔の位置と第２パイロット孔の位置とを一致させている。この構成により、第１キャリアテープ材と第２キャリアテープ材をずれることなく、送ることができる。また第１キャリアテープ材に第３凹部を設けた場合、部品を挿入保持する第２キャリアテープ材の孔の位置関係がしっかりと固定され、部品を立てた状態で安定して保持させることが可能となる。
【００１４】
本発明による第６の発明は、第５の発明において、第１パイロット孔の径と第２パイロット孔の径とが同じであることを特徴とする部品収納用キャリアテープである。この構成により、第１キャリアテープ材と第２キャリアテープ材のずれをさらに防止することができ、部品をより安定して保持することができる。また送りに対する強度上も好ましい。
【００１５】
本発明による第７の発明は、第１から第６の発明において、第１キャリアテープ材と第２キャリアテープ材とが熱溶着されていることを特徴とする。この構成により、第１キャリアテープ材と第２キャリアテープ材のずれをさらに確実に防止することができ、部品を安定して保持することができる。
【００１６】
本発明による第８の発明は、第７の発明において、第１キャリアテープ材と第２キャリアテープ材との間に熱溶着層を有することを特徴とする部品収納用キャリアテープである。この構成により、キャリアテープ材の強度を維持しつつ確実に熱溶着することができる。
【００１７】
本発明による第９の発明は、第１から第８の発明において、第２キャリアテープ材の第２凹部を覆うようにトップテープ材が配置された部品収納用キャリアテープである。そして、第２キャリアテープ材の第２凹部の周辺部でトップテープ材と第２キャリアテープ材とが熱溶着されている。このトップテープ材によって、部品は上下方向の動きが制約され、さらに安定して保持することができる。
【００１８】
以下、本発明の実施の形態について説明する。
【００１９】
（実施の形態）
図１は（ａ）本発明の実施の形態による部品収納用キャリアテープの平面図と、（ｂ）Ａ−Ａ線における断面図である。部品としては、一例としてコイン形電池４を想定している。なお、図１（ｂ）ではコイン形電池４を収容した状態を示している。キャリアテープ５は第１キャリアテープ材１と第２キャリアテープ材２とトップテープ材３とで構成されている。
【００２０】
可撓性のポリスチレン（ＰＳ）より成る第１キャリアテープ材１は、第１キャリアテープ材１の長手方向に沿って第１凹部１ｄを有する。第１凹部１ｄは、底部１ｅと、底部１ｅから傾斜して立ち上がった側壁１ａとを有する。そして、底部１ｅにはコイン形電池４を挿入する第３凹部１ｂが設けられている。第３凹部１ｂは第１キャリアテープ材１の長手方向に一定の間隔で形成されている。また、第１キャリアテープ材１の両側部には、長手方向に沿って送り用の第１パイロット孔１ｃが一定間隔で設けられている。
【００２１】
ポリエチレン（ＰＥ）とＰＳの２層構造を有する第２キャリアテープ材２は、第２キャリアテープ材２の長手方向に沿って第１キャリアテープ材１の第１凹部１ｄよりも浅い第２凹部２ｄを有する。第２凹部２ｄは、底部２ｅと、第１キャリアテープ材１の傾斜角度とほぼ同程度の傾斜を有する側壁２ａとを有する。また第２凹部２ｄの底にはコイン形電池４を挿入する孔２ｂが設けられている。孔２ｂは、孔２ｂの周囲の部分がコイン形電池４を縦置き状態に支持可能な大きさに設定されている。具体的にはコイン形電池４の厚さ方向に対し垂直な断面形状よりやや大きく形成されている。
【００２２】
また、第２キャリアテープ材２の両側部には、長手方向に沿って送り用の第２パイロット孔２ｃが一定間隔で設けられている。なお本発明において「縦置き」とは、円盤状あるいは板状の部品の厚み方向が略水平となり、厚み方向に垂直な、最も広い面が略鉛直方向になるように立てた状態にすることを意味する。
【００２３】
第１キャリアテープ材１と第２キャリアテープ材２は第１凹部１ｄと第２凹部２ｄとが一致するように、重ねられている。この時、側壁１ａと側壁２ａが同程度の傾斜を有しているため、第１キャリアテープ材１と第２キャリアテープ材２をずれなく重ね合わせることができる。また側壁１ａが傾斜し、上方が広くなっているため第１キャリアテープ材１に対し第２キャリアテープ材２を挿入しやすい。このように、側壁１ａ、２ａは底部１ｅ、２ｅに対し傾斜していることが好ましい。
【００２４】
コイン形電池４は第２キャリアテープ材２の孔２ｂを通して挿入され、第２キャリアテープ材２の孔２ｂによって、コイン形電池４の胴体部分が保持される。そのためコイン形電池４を縦置き状態で倒れることなく収納できる。さらに第１キャリアテープ材１の底部１ｅの第３凹部１ｂによってコイン形電池４の下部の円形周縁の一部が挟持されることが好ましい。これら２箇所を保持されることによりコイン形電池４を縦置き状態で倒れることなくさらに安定して収納できる。
【００２５】
第１キャリアテープ材１の第１パイロット孔１ｃと第２キャリアテープ材２の第２パイロット孔２ｃは、位置関係（幅方向のピッチと長手方向の送りピッチ）が同じで且つ径の大きさも同じである。しかしながら径が異なり、位置が一致しているだけでもよい。この場合、第１キャリアテープ材１と第２キャリアテープ材２とが固定されていれば、径の小さい方でキャリアテープ５を送ることができる。ただし第１パイロット孔１ｃの径と第２パイロット孔２ｃの径とが同じであるほうが、送りに対するキャリアテープ５の強度上、好ましい。
【００２６】
また第１キャリアテープ材１と第２キャリアテープ材２は、熱溶着部２ｆにおいて熱溶着によって貼り合わせていることが好ましい。第１キャリアテープ材１と第２キャリアテープ材２は、例えば接着剤で貼り合わせることもできるが、第１キャリアテープ材１と第２キャリアテープ材２の一方に接着剤を塗布すると、ずれて貼り付けてしまう場合がある。そのため、熱溶着することが好ましい。
【００２７】
なお第２キャリアテープ材２のＰＥ層は第１キャリアテープ材１と接する側に形成されている。熱シールする際には融点の低いＰＥ層が溶けて、ＰＳ製の第１キャリアテープ材１及び第２キャリアテープ材２のＰＳ層を溶着固定する。このようにＰＥ層のような熱溶着層を形成することが好ましい。これにより第２キャリアテープ材２の基材であるＰＳ層で強度を確保しつつＰＥ層で第１キャリアテープ材１と熱溶着することができる。
【００２８】
トップテープ材３はポリエチレンテレフタレート（ＰＥＴ）とＰＥの２層より成り、コイン形電池４を装填した後で第２キャリアテープ材２に第２凹部２ｄの周辺部である熱溶着部３ｆにおいて熱溶着によって貼り合わせられている。トップテープ材３のＰＥ層は第２キャリアテープ材２と接する側に形成されている。熱シールする際に融点の低いトップテープ材３のＰＥ層が溶けて、トップテープ材３のＰＥＴ層と第２キャリアテープ材２のＰＳ層を溶着固定する。このように第２凹部２ｄを覆うようにトップテープ材３を配置し、第２キャリアテープ材２とトップテープ材３とを熱溶着することが好ましい。熱溶着が好ましい理由は第１キャリアテープ材１と第２キャリアテープ材２との場合と同様である。
【００２９】
本実施の形態では第１キャリアテープ材１のパイロット孔１ｃと第２キャリアテープ材２のパイロット孔２ｃの位置と径の大きさが同じであり、また更に第１キャリアテープ材１と第２キャリアテープ材２が熱溶着されている。そのため、縦置き収納したコイン形電池４の円形周縁の一部を挟持する第１キャリアテープ材１の底部の第３凹部１ｂとコイン形電池４を挿入保持する第２キャリアテープ材２の孔２ｂの位置関係がしっかりと固定される。したがって、コイン形電池４を縦置き収納状態で倒れることなく安定して保持することができる。また、トップテープ材３によって、コイン形電池４の上下方向の動きが制限されるため、輸送中に衝撃や振動等が生じた場合にも、傾くことなく安定して保持することができる。
【００３０】
なお、本実施の形態の説明では、部品としてコイン形電池４を例として説明したが、コイン形電池に限定されるものではなく、円盤状あるいは板状の種々の部品に適用できる。この場合の部品は、電子部品に限定されない。
【００３１】
また、本実施の形態の説明において、第３凹部１ｂの形状は円弧状としたが、円弧状に限定されるものではなく、種々の部品の形状に応じて変更すればよい。
【産業上の利用可能性】
【００３２】
本発明によると部品を縦置きにするという特殊なニーズに対応可能な部品収納用キャリアテープを提供できる。また、部品の保持が安定しているので、電子機器への実装時におけるピックアップ不良もなく、その工業的価値は高い。
【図面の簡単な説明】
【００３３】
【図１】（ａ）本発明の実施の形態による部品収納用キャリアテープの平面図、（ｂ）同断面図
【符号の説明】
【００３４】
１    第１キャリアテープ材
１ａ    側壁
１ｂ    第３凹部
１ｃ    第１パイロット孔
１ｄ    第１凹部
１ｅ，２ｅ    底部
２    第２キャリアテープ材
２ａ    側壁
２ｂ    孔
２ｃ    第２パイロット孔
２ｆ，３ｆ    熱溶着部
２ｄ    第２凹部
３    トップテープ材
４    コイン形電池
５    キャリアテープ
【図１】
2010036927.tif 000003